(57)【要約】【課題】径が異なる多種類の飲料容器等を保持することが可能なコンソールボックスの提供を目的とする。【解決手段】容器保持プレート３１，４１は、起立状態から上方へスライドして物品収容凹部側へ回動可能とされ、前記回動により物品収容凹部１３上方を覆うと共に前記両容器保持プレートの一方が単独でまたは両方が上下に重なって前記物品収容凹部上方に保持可能とされ、前記容器保持プレートの容器挿入保持孔３２，４２は、前記両容器保持プレートで孔径が異なると共に、前記両飲容器保持プレートが前記物品収容凹部上方で重なった際に、前記両容器保持プレートの容器挿入保持孔が孔の中心をずらして上下に重なるように設けられている。【選択図】図５
2009154552.tif 000002
【特許請求の範囲】
【請求項１】
物品収容凹部が形成されたボックス本体と、
容器挿入保持孔を備えて前記物品収容凹部上方に配置される容器保持プレートとを有するコンソールボックスにおいて、
前記容器保持プレートは、前記物品収容凹部の両側側壁にそれぞれ上下スライド可能に取り付けられ、前記ボックス本体の側壁に重なった起立状態から上方へスライドした状態では下部を支点として物品収容凹部側へ回動可能とされ、前記回動により前記物品収容凹部上方を覆うと共に前記両容器保持プレートの一方が単独でまたは両方が上下に重なって前記物品収容凹部上方に保持可能とされ、
前記容器挿入保持孔は、前記両容器保持プレートで孔径が異なると共に、前記両容器保持プレートが前記物品収容凹部上方で重なった際に、前記両容器保持プレートの容器挿入保持孔が孔の中心をずらして上下に重なるように設けられていることを特徴とするコンソールボックス。
【請求項２】
前記物品収容凹部の両側側壁に取り付けられた前記容器保持プレートの両側部の下部にはスライド回動ピンが突設され、
前記物品収容凹部の両側側壁外面には、前記スライド回動ピンが嵌って前記容器保持プレートを上下にスライド可能とすると共に上部で前記スライド回動ピンの回動を可能とするスライド用溝を有するスライド保持部が上下方向に形成され、
前記物品収容凹部には、前記物品収容凹部上方を覆った前記容器保持プレートの支持部が形成されていることを特徴とする請求項１に記載のコンソールボックス。
【発明の詳細な説明】
【技術分野】
【０００１】
本発明は、多種類の径の容器を保持することが可能なコンソールボックスに関する。
【背景技術】
【０００２】
自動車内のコンソールボックスには、缶ジュースやペットボトル等の飲料容器を立てて保持することが可能なように、飲料容器挿入保持孔の形成されたものがある。
【０００３】
しかし、従来の飲料容器挿入保持孔が形成されたコンソールボックスは、１種類か２種類の飲料容器しか対応できないものであり、径が異なる多種類の飲料容器には対応できない問題があった。また、コンソールボックスは、車内の限られた空間に配置されるものであるため、径の異なる他種類の飲料容器挿入保持孔を平面的に多数配置することには無理があった。
【０００４】
【特許文献１】特開昭６３−８７１４６号公報
【特許文献２】特開平２−２５３３４号公報
【発明の開示】
【発明が解決しようとする課題】
【０００５】
本発明は前記の点に鑑みなされたものであって、径が異なる多種類の容器を保持することが可能なコンソールボックスの提供を目的とする。
【課題を解決するための手段】
【０００６】
請求項１の発明は、物品収容凹部が形成されたボックス本体と、容器挿入保持孔を備えて前記物品収容凹部上方に配置される容器保持プレートとを有するコンソールボックスにおいて、前記容器保持プレートは、前記物品収容凹部の両側側壁にそれぞれ上下スライド可能に取り付けられ、前記ボックス本体の側壁に重なった起立状態から上方へスライドした状態では下部を支点として物品収容凹部側へ回動可能とされ、前記回動により前記物品収容凹部上方を覆うと共に前記両容器保持プレートの一方が単独でまたは両方が上下に重なって前記物品収容凹部上方に保持可能とされ、前記容器挿入保持孔は、前記両容器保持プレートで孔径が異なると共に、前記両容器保持プレートが前記物品収容凹部上方で重なった際に、前記両容器保持プレートの容器挿入保持孔が孔の中心をずらして上下に重なるように設けられていることを特徴とする。
【０００７】
請求項２の発明は、請求項１において、前記物品収容凹部の両側側壁に取り付けられた前記容器保持プレートの両側部の下部にはスライド回動ピンが突設され、前記物品収容凹部の両側側壁外面には、前記スライド回動ピンが嵌って前記容器保持プレートを上下にスライド可能とすると共に上部で前記スライド回動ピンの回動を可能とするスライド用溝を有するスライド保持部が上下方向に形成され、前記物品収容凹部には、前記物品収容凹部上方を覆った前記容器保持プレートの支持部が形成されていることを特徴とする。
【発明の効果】
【０００８】
本発明によれば、容器保持プレートを物品収容凹部の両側側壁に起立させておくことにより、物品収容凹部に種々の物品を収容することができる。また、物品収容凹部の両側側壁の一方から容器保持プレートを上方へスライドさせて回動させることにより、前記容器保持プレートで物品収容凹部上方を覆い、前記容器保持プレートの容器挿入保持孔に飲料容器等を挿入することにより飲料容器等を保持することができる。また、物品収容凹部の両側側壁に取り付けられている容器保持プレートには異なる径の容器挿入保持孔が形成されているため、異なる側の側壁から容器保持プレートを上方へスライドさせて使用することにより、異なる径の飲料容器等を保持することが可能となる。
【０００９】
さらに、物品収容凹部の両側の側壁から容器保持プレートをスライドにより引き出して物品収容凹部の上方に重ねて配置すれば、両容器保持プレートの容器挿入保持孔が孔の中心をずらして上下に重なるため、上下の容器挿入保持孔の連通部分で構成される新たなサイズの容器挿入保持孔が形成され、容器保持プレート単独の場合とは異なる径の飲料容器等を新たなサイズの容器挿入保持孔に挿入保持することができる。そのため、両容器保持プレートの何れか一方を単独で使用する場合の２種類と、両容器保持プレートを重ねて使用する場合の１種類とよりなる少なくとも３種類の径の飲料容器等を保持することができる。さらに、容器保持プレート毎に異なる径の容器挿入保持孔を複数形成しておけば、より多くの種類の径の飲料容器等を保持することが可能となる。
【発明を実施するための最良の形態】
【００１０】
以下本発明の実施形態を詳細に説明する。図１は本発明の一実施例に係るコンソールボックスの斜視図、平面図、断面図、図２は同コンソールボックスにおいて容器保持プレートを上方へ一部スライドさせた状態の斜視図、平面図、断面図、図３は同コンソールボックスにおいて一方の容器保持プレート使用時の斜視図、平面図、断面図、図４は同コンソールボックスにおいて他方の容器保持プレート使用時の斜視図、平面図、断面図、図５は同コンソールボックスにおいて両方の容器保持プレート使用時の斜視図、平面図、断面図である。
【００１１】
図１〜図５に示すコンソールボックス１０は、車両の室内に設けられるものであり、ボックス本体１１と、容器保持プレート３１，４１とを有する合成樹脂製品からなる。
【００１２】
前記ボックス本体１１は、略直方体形状からなり、上面には長さ方向一側に物品収容凹部１３が形成され、他側には蓋付き物品収容部５１が形成されている。前記物品収容凹部１３における幅方向（ボックス本体の長さ方向とは直交する方向）の両側側壁１５，２３には容器保持プレート収容部１６，２４が設けられている。前記容器保持プレート収容部１６，２４は、本実施例では前記側壁１５，２３の外面に、前記容器保持プレート３１，４１を起立状態で配置可能な凹状の窪みで構成されている。前記容器保持プレート収容部１６，２４の前後の両側壁１７，１７，２５，２５は、上下方向に形成されたスライド保持部１８，１８，２６，２６を構成し、前記スライド用溝１９，１９，２７，２７が上下方向に形成されている。また、前記容器保持プレート収容部１６，２４における前記スライド保持部１８，１８，２６，２６間の上端面は、前記スライド用溝１９，１９，２７，２７の上端よりも低く形成されて前記容器保持プレート支持部２０，２８を構成すると共に、後述のように前記容器保持プレート３１，４１を上方へスライドさせた状態で回動可能にしている。
【００１３】
前記容器保持プレート３１，４１は、前記物品収容凹部１３の上方を覆う大きさの略長方形の平板からなり、それぞれ容器挿入保持孔３２，３２，４２，４２が貫通形成されている。前記物品収容凹部１３の側壁１５，２３に配置されたときの前記容器保持プレート３１，４１における長さ方向両端の下部にはスライド回動ピン３５，３５，４５，４５が突設されている。前記スライド回動ピン３５，３５，４５，４５が、前記容器保持プレート収容部１６，２４のスライド用溝１９，１９，２７，２７に嵌ることにより、前記容器保持プレート３１，４１は、前記容器保持プレート収容部１６，２４に上下スライド可能及び上方へスライドした状態で前記物品収容凹部１３側へ回動可能に取り付けられる。前記スライド回動ピン３５，３５，４５，４５は、前記スライド用溝１９，１９，２７，２７内を上下スライド可能に、かつ前記スライド用溝１９，１９，２７，２７の上端付近で回動可能な太さで構成されている。
【００１４】
前記容器挿入保持孔３２，３２，４２，４２は缶ジュースの缶やペットボトルの容器や、紙コップ等の容器が挿入されるものである。また、一方の容器保持プレート３１の容器挿入保持孔３２，３２と他方の容器保持プレート４１の容器挿入保持孔４２，４２とは、径が異なるものとされている。本実施例では前記容器保持プレート３１の容器挿入保持孔３２，３２は、前記容器保持プレート４１の容器挿入保持孔４２，４２よりも小径とされている。さらに、前記両容器保持プレート３１，４１の容器挿入保持孔３２，３２，４２，４２は、図５のように両容器保持プレート３１，４１が上下に重なって前記物品収容凹部１３の上方を覆った際に、両容器保持プレート３１，４１の容器挿入保持孔３２，３２，４２，４２が孔の中心をずらして上下に重なるように、前記容器保持プレート３１，４１に形成されている。
【００１５】
また、前記両容器保持プレート３１，４１は、前記容器保持プレート収容部１６，２４に起立状態で収容された状態における上部内面にフック３８，４８が下向きに形成されている。前記フック３８，４８が、前記容器保持プレート収容部１６，２４の上端に形成されている係止孔２１，２９に挿入係止されることにより、容器保持プレート３１，４１が起立状態で保たれて外方へ倒れない構成になっている。さらに、前記両容器保持プレート３１，４１の外面には、上下スライド時における指掛かり用凹部３１ａ，４１ａと、前記両容器保持プレート３１，４１が上下に重なった際に前記フック３７，４８を収容するフック収容孔３１ｂ，４１ｂが形成されている。
【００１６】
前記コンソールボックス１０の物品収容凹部１３に小物物品等を収容する場合、図１のように、前記両容器保持プレート３１，４１を容器保持プレート収容部１６，２４に起立状態で収容し、前記物品収容凹部１３の上方を開放する。
【００１７】
一方、前記コンソールボックス１０に飲料容器等を保持する場合、図３及び図４に示すように、前記両容器保持プレート３１，４１のうち、飲料容器等の容器の径と対応する容器挿入保持孔（３２，３２または４２，４２）が形成されている一方の容器保持プレート（３１または４１）を、上方へスライドさせ、上方へスライドさせた状態で前記スライド回動ピン３５，３５，４５，４５を回動中心として前記容器保持プレートを物品収容凹部１３側へ回動して倒し、前記物品収容凹部１３の上方を容器保持プレート（３１または４１）で覆う。このとき、前記容器保持プレート（３１または４１）は端部が前記容器保持プレート支持部２０，２８に載置されて支持される。そして、前記物品収容凹部１３の上方を覆う容器保持プレート（３１または４１）に形成されている容器挿入保持孔（３２，３２または４２，４２）に飲料容器等を挿入すれば、飲料容器等を保持することができる。なお、前記容器挿入保持孔（３２，３２または４２，４２）に挿入された飲料容器等は、容器の底部が物品収容凹部１３の内底面と当接し、あるいは紙コップ等のように上方が大径のものは、径によっては、容器の途中部分が容器挿入保持孔（３２，３２または４２，４２）に保持されて物品収容凹部１３の内底面から離れた状態となる。
【００１８】
また、前記両容器保持プレート３１，４１のうち、何れか一方の単独使用では対応できない径の飲料容器等を保持する場合は、図５のように、一方の容器保持プレート（３１または４１）で前記物品収容凹部１３の上方を覆った後、他方の容器保持プレート（３１または４１）を同様に上方スライド及び回動させて物品収容凹部１３の上方を覆い、前記一方の容器保持プレート上に重ねる。これにより上下に重なった容器保持プレート３１，４１の容器挿入保持孔３２，３２，４２，４２は、孔の中心がずれた状態で上下に重なり合って、重なり部分が連通するため、新たなサイズの容器挿入保持孔が形成されることになり、前記両容器保持プレート３１，４１のうち、何れか一方の単独使用では対応できない径の飲料容器等を挿入保持することが可能となる。
【００１９】
また、前記各容器保持プレートにおいて複数の容器挿入保持孔同士の径を異ならせてもよい。例えば２つの容器挿入保持孔３２，３２をそれぞれ異なる径にする。そのように構成すれば、さらに他種類の径の飲料容器等を保持することが可能となる。
【図面の簡単な説明】
【００２０】
【図１】本発明の一実施例に係るコンソールボックスの斜視図、平面図、断面図である。
【図２】同コンソールボックスにおいて容器保持プレートを上方へ一部スライドさせた状態の斜視図、平面図、断面図である。
【図３】同コンソールボックスにおいて一方の容器保持プレート使用時の斜視図、平面図、断面図である。
【図４】同コンソールボックスにおいて他方の容器保持プレート使用時の斜視図、平面図、断面図である。
【図５】同コンソールボックスにおいて両方の容器保持プレート使用時の斜視図、平面図、断面図である。
【符号の説明】
【００２１】
１０  コンソールボックス
１１  ボックス本体
１３  物品収容凹部
１６，２４  容器保持プレート収容部
１８，１８，２６，２６  スライド保持部
１９，２７  スライド用溝
２０，２８  容器保持プレート支持部
３１，４１  容器保持プレート
３２，４２  容器挿入保持孔
３５，４５  スライド回動ピン
【図１】
2009154552.tif 000003
【図２】
2009154552.tif 000004
【図３】
2009154552.tif 000005
【図４】
2009154552.tif 000006
【図５】
2009154552.tif 000007